(57)【要約】【課題】  本発明は、プライス表示装置に用いられるプライスカードホルダーの構造を簡単なものにして安価に製造することを課題とする。また、プライスカードホルダーをプライスカードホルダー用支持棒と別体に形成して着脱自在とすることを課題とする。また、プライスカードホルダーの正面部が斜め上方を向くようにしてプライス表示を客に見やすくすることを課題とする。【解決手段】  プライスカードホルダー用支持棒の先端部が上から見てＴ字形をなすように、プライスカードホルダー用支持棒の先端にそれと直角で且つ水平に延びる横棒部が設けられており、プライスカードホルダーはプラスチック板を折り畳むことにより形成され、プラスチック板は少なくとも１つの折り曲げ線を有し、折り曲げ線で折り畳むことにより正面板と背面板が形成され、折り畳まれた正面板と背面板が開くことを防止する係止手段が設けられ、且つ背面板に縦長の孔部が設けられている。【選択図】  図６
2007117107.tif 000002
【特許請求の範囲】
【請求項１】
陳列されている商品の値段を表示するためのプライス表示装置であって、棒状に延びる片持状のプライスカードホルダー用支持棒と、その先端に着脱自在に取り付けることができるプライスカードホルダーを含み、プライスカードホルダー用支持棒の先端部が上から見てＴ字形をなすように、プライスカードホルダー用支持棒の先端にそれと直角で且つ水平に延びる横棒部が設けられており、
プライスカードホルダーはプラスチック板を折り畳むことにより形成され、該プラスチック板は少なくとも１つの折り曲げ線を有し、折り曲げ線で折り畳むことにより正面板と背面板が形成され、折り畳まれた正面板と背面板が開くことを防止する係止手段が設けられ、且つ背面板に縦長の孔部が設けられていることを特徴とするプライス表示装置。
【請求項２】
背面板の正面板側と反対側の端部に中板が延設され、該中板と背面板との境に折り曲げ線が設けられ、中板は正面板と背面板との間に折り畳まれる請求項１記載のプライス表示装置。
【請求項３】
正面板の背面板と反対側の端部に弾性板が延設され、該弾性板と正面板との境に折り曲げ線が設けられている請求項１又は請求項２記載のプライス表示装置。
【請求項４】
背面板の正面板側と反対側の端部に差込片が一体に設けられ、正面板と弾性板との境にスリットが設けられ、差込片をスリットに差し込むことにより、正面板と背面板とが開くことを防止する請求項３記載のプライス表示装置。
【請求項５】
ディスプレイフックとプライスカードホルダーを含んで成り、ディスプレイフックは、上段に片持状のプライスカードホルダー用支持棒を有し、下段に片持状の商品陳列用支持棒を有しており、ディスプレイフックのプライスカードホルダー用支持棒の先端にプライスカードホルダーが着脱可能に取り付けられ、該プライスカードホルダーをプライスカードホルダー用支持棒に対して可動に取り付ける手段を有して、プライスカードホルダーの正面部が少なくとも垂直の状態から斜め上方を向く状態まで回動可能であり、且つ所定の角度でその回動を規制する手段を有し、
プライスカードホルダーはその下部に弾性板を有し、プライスカードホルダーの正面部が斜め上方を向いたときに、前記弾性板と商品陳列用支持棒とが弾性的に当たる接触点が、プライスカードホルダーの背面側区域で且つプライスカードホルダーの回動中心よりもプライスカードホルダー用支持棒の延長区域にあるように弾性板は形成されていることを特徴とするプライス表示装置。
【請求項６】
プライスカードホルダー用支持棒に取り付けたプライスカードホルダーが垂直の状態にあるときは、プライスカードホルダーの正面板の下端縁は商品陳列用支持棒に接触していないが弾性板は商品陳列用支持棒に弾性的に接触しており、その接触点は、プライスカードホルダーの背面側区域で且つプライスカードホルダーの回動中心よりもプライスカードホルダー用支持棒の延長区域にある請求項５記載のプライス表示装置。
【発明の詳細な説明】
【技術分野】
【０００１】
本発明は、量販店やコンビニストアなどで使用されるプライスカードホルダーを有するプライス表示装置に関する。
【背景技術】
【０００２】
商品陳列用のディスプレイフックにプライスカードホルダーを取り付けるプライス表示装置は存在している（例えば、特許文献１参照。）。
【特許文献１】特開２０００−３４２４０４号公報（図１、図３）
【発明の開示】
【発明が解決しようとする課題】
【０００３】
本発明はプライス表示装置に用いられるプライスカードホルダーの構造を簡単なものにして安価に製造することを課題とする。また、プライスカードホルダーをプライスカードホルダー用支持棒と別体に形成して着脱自在とすることを課題とする。また、プライスカードホルダーの正面部が斜め上方を向くようにしてプライス表示を客に見やすくすることを課題とする。
【０００４】
特許文献１の図１のプライス表示装置は、プライスカード保持片が商品保持板とほぼ同じ長さを有している。したがって、種々の長さを有する商品保持板に対応させて長さの異なる多種類のプライスカード保持片を用意しなければならず、プライスカード保持片の手配が面倒でありコストもかかる。また、吊り下げて陳列されている商品を出し入れするたびにプライスカード保持片全体を上方に反らす必要があり、比較的短期間にプライスカード保持片の基部が折れる虞がある。特許文献１の図３の陳列装置はプライスカードケースが支持棒に恒久的に固定されており、このプライスカードケースにプライスカードを着脱するものである。したがって、プライスカードケース付の支持棒を製造しなければならないが、そのようなものを製造するについて非常にコストがかかる。また、プライスカードケースが固定されているためにプライスカードを着脱するのに手間がかかる。また、通常、プライスカードケースの正面部は垂直になるように設定されているから、陳列位置が低いときにプライスカードを上向きに設定することができず、客がプライス表示を見づらいという欠点がある。そこで本発明は、安価に製造できるプライスカードホルダーを提供し、さらにプライスカードホルダーの正面部が斜め上方を向くことにより客がプライス表示を見やすく、プライスカードホルダーをプライスカードホルダー用支持棒に簡単に着脱できてプライスカードの交換を容易にするプライス表示装置を提供することを目的とする。
【課題を解決するための手段】
【０００５】
本発明の請求項１は、陳列されている商品の値段を表示するためのプライス表示装置であって、棒状に延びる片持状のプライスカードホルダー用支持棒と、その先端に着脱自在に取り付けることができるプライスカードホルダーを含み、プライスカードホルダー用支持棒の先端部が上から見てＴ字形をなすように、プライスカードホルダー用支持棒の先端にそれと直角で且つ水平に延びる横棒部が設けられており、プライスカードホルダーはプラスチック板を折り畳むことにより形成され、該プラスチック板は少なくとも１つの折り曲げ線を有し、折り曲げ線で折り畳むことにより正面板と背面板が形成され、折り畳まれた正面板と背面板が開くことを防止する係止手段が設けられ、且つ背面板に縦長の孔部が設けられている構成である。
【０００６】
請求項２は、背面板の正面板側と反対側の端部に中板が延設され、該中板と背面板との境に折り曲げ線が設けられ、中板は正面板と背面板との間に折り畳まれる構成要素が請求項１に付加された構成である。
【０００７】
請求項３は、正面板の背面板と反対側の端部に弾性板が延設され、該弾性板と正面板との境に折り曲げ線が設けられている構成要素が請求項１又は請求項２に付加された構成である。
【０００８】
請求項４は、背面板の正面板側と反対側の端部に差込片が一体に設けられ、正面板と弾性板との境にスリットが設けられ、差込片をスリットに差し込むことにより、正面板と背面板とが開くことを防止する構成要素が請求項３に付加された構成である。
【０００９】
請求項５は、ディスプレイフックとプライスカードホルダーを含んで成り、ディスプレイフックは、上段に片持状のプライスカードホルダー用支持棒を有し、下段に片持状の商品陳列用支持棒を有しており、ディスプレイフックのプライスカードホルダー用支持棒の先端にプライスカードホルダーが着脱可能に取り付けられ、該プライスカードホルダーをプライスカードホルダー用支持棒に対して可動に取り付ける手段を有して、プライスカードホルダーの正面部が少なくとも垂直の状態から斜め上方を向く状態まで回動可能であり、且つ所定の角度でその回動を規制する手段を有し、プライスカードホルダーはその下部に弾性板を有し、プライスカードホルダーの正面部が斜め上方を向いたときに、前記弾性板と商品陳列用支持棒とが弾性的に当たる接触点が、プライスカードホルダーの背面側区域で且つプライスカードホルダーの回動中心よりもプライスカードホルダー用支持棒の延長区域にあるように弾性板は形成されている構成である。
【００１０】
請求項６は、プライスカードホルダー用支持棒に取り付けたプライスカードホルダーが垂直の状態にあるときは、プライスカードホルダーの正面板の下端縁は商品陳列用支持棒に接触していないが弾性板は商品陳列用支持棒に弾性的に接触しており、その接触点は、プライスカードホルダーの背面側区域で且つプライスカードホルダーの回動中心よりもプライスカードホルダー用支持棒の延長区域にある構成要素が請求項５に付加された構成である。
【発明の効果】
【００１１】
請求項１は、陳列されている商品の値段を表示するためのプライス表示装置であって、棒状に延びる片持状のプライスカードホルダー用支持棒と、その先端に着脱自在に取り付けることができるプライスカードホルダーを含み、プライスカードホルダー用支持棒の先端部が上から見てＴ字形をなすように、プライスカードホルダー用支持棒の先端にそれと直角で且つ水平に延びる横棒部が設けられており、プライスカードホルダーはプラスチック板を折り畳むことにより形成され、該プラスチック板は少なくとも１つの折り曲げ線を有し、折り曲げ線で折り畳むことにより正面板と背面板が形成され、折り畳まれた正面板と背面板が開くことを防止する係止手段が設けられ、且つ背面板に縦長の孔部が設けられている構成である。したがって、プライスカードホルダーは一枚のプラスチック板を折り畳むだけで形成することができるから、製造が簡単でコストを抑えることができる。また、プライスカードホルダーをプライスカードホルダー用支持棒に取り付けるときは、プライスカードホルダーを時計回り又は反時計回りに９０度回して横棒部と縦長の孔部を同じ方向にして、横棒部を孔部に差し込む。そして回したプライスカードホルダーを元に戻せば横棒部は孔部から抜け出でることがなく取り付けることができる。さらに、取り付けられたプライスカードホルダーは横棒部を回動中心として、プライスカードホルダーの正面板が斜め上方を向くように回動することができる。それと共に、プライスカードホルダーは垂直方向に延びる中心線を回動中心としては回動しないので、使用中にプライスカードホルダーが斜め横を向くことがない。また、プライスカードホルダーはプライスカードホルダー用支持棒の先端に着脱自在に取り付けられるので、プライスカードホルダーに挿入されているプライスカードを交換するとき等にプライスカードホルダーを取り外して行うことができて、その作業を楽に行うことができる。
【００１２】
請求項２は、背面板の正面板側と反対側の端部に中板が延設され、該中板と背面板との境に折り曲げ線が設けられ、中板は正面板と背面板との間に折り畳まれる構成である。したがって、正面板と背面板の間の隙間が中板によって仕切られる。これにより、正面板と中板の間にプライスカードを挟んだときに、孔部から挿入された横棒部は中板に遮られてプライスカードに触れないから、プライスカードは横棒部に擦られることがなく傷まない。
【００１３】
請求項３は、正面板の背面板と反対側の端部に弾性板が延設され、弾性板と正面板との境に折り曲げ線が設けられている構成である。したがって、プライスカードホルダー用支持棒の下段に商品陳列用支持棒が存在するときに、弾性板がその商品陳列用支持棒に当たってプライスカードホルダーを下側から支持するので、プライスカードホルダーが安定する。
【００１４】
請求項４は、背面板の正面板側と反対側の端部に差込片が一体に設けられ、正面板と弾性板との境にスリットが設けられ、差込片をスリットに差し込むことにより、正面板と背面板とが開くことを防止する構成要素が請求項３に付加された構成である。したがって、特別な係止手段を装着しなくても簡単な構成で正面板と背面板とが開くことを防止できる。
【００１５】
請求項５は、ディスプレイフックとプライスカードホルダーを含んで成り、ディスプレイフックは、上段に片持状のプライスカードホルダー用支持棒を有し、下段に片持状の商品陳列用支持棒を有しており、ディスプレイフックのプライスカードホルダー用支持棒の先端にプライスカードホルダーが着脱可能に取り付けられ、該プライスカードホルダーをプライスカードホルダー用支持棒に対して可動に取り付ける手段を有して、プライスカードホルダーの正面部が少なくとも垂直の状態から斜め上方を向く状態まで回動可能であり、且つ所定の角度でその回動を規制する手段を有し、プライスカードホルダーはその下部に弾性板を有し、プライスカードホルダーの正面部が斜め上方を向いたときに、前記弾性板と商品陳列用支持棒とが弾性的に当たる接触点が、プライスカードホルダーの背面側区域で且つプライスカードホルダーの回動中心よりもプライスカードホルダー用支持棒の延長区域にあるように弾性板は形成されている構成である。したがって、弾性板と商品陳列用支持棒の接触点において、弾性力がプライスカードホルダーの正面部を斜め上方に向くように働くので、プライスカードホルダーの正面部を斜め上方に向けた状態にすることができる。また、プライスカードホルダーはプライスカードホルダー用支持棒の先端に着脱自在に取り付けられるので、プライスカードホルダーに挿入されているプライスカードを交換するとき等にプライスカードホルダーを取り外して行うことができて、その作業を楽に行うことができる。
【００１６】
請求項６は、プライスカードホルダー用支持棒に取り付けたプライスカードホルダーが垂直の状態にあるときは、プライスカードホルダーの正面板の下端縁は商品陳列用支持棒に接触していないが弾性板は商品陳列用支持棒に弾性的に接触しており、その接触点は、プライスカードホルダーの背面側区域で且つプライスカードホルダーの回動中心よりもプライスカードホルダー用支持棒の延長区域にある構成である。したがって、プライスカードホルダーをプライスカードホルダー用支持棒の先端に取り付けただけで、弾性板の弾力によってプライスカードホルダーはその正面板が斜め上方を向くように自然に回動するので、わざわざ手でプライスカードホルダーを回動する必要がなく手間がかからない。
【発明を実施するための最良の形態】
【００１７】
次に本発明を実施するための最良の形態について説明する。図１に示すように、プライスカードホルダー１は当初一枚の透明なプラスチック板である。４つの折り曲げ線が設けられ、第一の折り曲げ線２は弾性板３と正面板４との境に設けられている。第二の折り曲げ線５は正面板４と背面板６との境に設けられている。第三の折り曲げ線７は背面板６と中板８との境に設けられている。さらに、第四の折り曲げ線９は中板８とスペース板１０との境に設けられている。
【００１８】
また、第一の折り曲げ線２に沿って２つのスリット１１，１１が設けられている。背面板６には２つのスリット１２，１２が設けられ、且つ中央に縦長の孔部１７が設けられている。第三の折り曲げ線７に沿って二箇所にスリットを設けることによって差込片１３，１３が形成されている。スペース板１０の端部に２つの差込片１４，１４が設けられている。
【００１９】
次に、図１に示すプラスチック板からプライスカードホルダー１に組み立てる方法について説明する。まず、図２に示すように中板８を第三の折り曲げ線７に沿って折り畳むように折り曲げる。さらに、スペース板１０を折り曲げ線９に沿って中板８に対してほぼ直角に折り曲げる。次いで、差込片１４，１４をスリット１２，１２に差し込んで係止する。差込片１４，１４は末広がりに形成されているから容易に抜け出さない。次に、正面板４を第二の折り曲げ線５に沿って折り畳むように折り曲げる。それから、弾性板３を第一の折り曲げ線２に沿って折り曲げ、差込片１３，１３をスリット１１，１１に差し込んで係止する。この作業によって、プライスカードホルダー１は図３に示すように組み立てられる。スペース板１０の存在によって背面板６と中板８との間に広めの隙間ができるので、ここに後述する横棒部１６を差し込むことができる。また、プライスカード２５は正面板４と中板８の隙間に側方から挿入する。
【００２０】
次に、プライスカードホルダー１が取り付けられるディスプレイフック１８について説明する。図４に示すように、ディスプレイフック１８は基端に逆Ｕ字形の係止部１９を有する。この係止部１９によってディスプレイフック１８は商品陳列用ボード等に係止することができる。係止部１９の上部からプライスカードホルダー用支持棒１５が片持状に延び、その先端に水平且つ直角方向に延びる横棒部１６が一体に設けられている。プライスカードホルダー用支持棒１５と横棒部１６はＴ字形をなしている。係止部１９の下部から商品陳列用支持棒２０が片持状に延びている。商品陳列用支持棒２０はプライスカードホルダー用支持棒１５よりも長い。
【００２１】
次に、前述したように組み立てたプライスカードホルダー１をディスプレイフック１８に取り付ける方法について説明する。まず、ディスプレイフック１８を時計回り又は半時計回りに９０度回して横棒部１６と縦長の孔部１７を同じ方向にしてから、プライスカードホルダー用支持棒１５の先端に設けられた横棒部１６を孔部１７に差し込む。それから、プライスカードホルダー１を元の状態に戻すと横棒部１６と孔部１７は直交するので横棒部１６は容易に抜け出すことがなく、プライスカードホルダー１を確実に取り付けることができる。
【００２２】
図６は、プライスカードホルダー１をプライスカードホルダー用支持棒１５に取り付けた状態を示している。弾性板４と商品陳列用支持棒２０との接触点２１は、プライスカードホルダー１の背面板よりも後方の背面側区域にある。さらに、弾性板４と商品陳列用支持棒２０との接触点２１は、横棒部１６の中心でもあるプライスカードホルダー１の回動中心２２よりもプライスカードホルダー用支持棒１５の延長区域にある。すなわち、弾性板４と商品陳列用支持棒２０との接触点２１は、図６において、回動中心２２を通る垂直線よりも右側にある。プライスカードホルダー１はこのようにして取り付けられるので、接触点２１から受ける反力によってプライスカードホルダー１は図６において半時計回りに自動的に回る。この結果、プライスカードホルダー１の正面部２３は斜め上方を向く。また、プライスカードホルダー１が所定の角度まで回動したときに、背面板６に設けた孔部１７の上端２４がプライスカードホルダー用支持棒１５に当たる。したがって、プライスカードホルダー１はそれ以上回動することが規制され、プライスカードホルダー１の正面部２３が所定の角度で斜め上方を向いた状態で固定される。
【００２３】
図６のようにプライスカードホルダー１が取り付けられたときに、商品を商品陳列用支持棒２０に吊り下げるときは、商品の包装に設けられた孔に商品陳列用支持棒２０を差し込み、手で弾性板４を少し上にあげて奥の方まで移動する。逆に、吊り下げられている商品を商品陳列用支持棒２０から抜くときは、商品をそのまま手前に移動させれば、プライスカードホルダー１に手を付けなくても商品を引き出すことができる。図６を見ると、商品を引き出すときにその包装の孔の周囲が接触点２１において弾性板３に引っかかりそうである。しかし、商品陳列用支持棒２０を細い丸棒に形成しておけば、包装の孔の周囲は商品陳列用支持棒の側方から接触点２１内に円滑に入り込むので、包装が引っかかることなく商品を引き出すことができる。
【００２４】
本発明は以上の実施の形態に限定されないことは勿論であって、プライスカードホルダー１の正面板４の下縁、あるいは弾性板３のいずれもが商品陳列用支持棒２０に接触することなく自由な状態で吊り下げられるものであってもよい。また、プライスカード２５を用いず、プライスカードホルダー１の正面部２３にプライスを印刷等によって表示したものであってもよい。
【図面の簡単な説明】
【００２５】
【図１】折り畳む前のプライスカードホルダーの正面図
【図２】プライスカードホルダーを折り畳み始めた状態の斜視図
【図３】ディスプレイフックに取り付けたプライスカードホルダーにプライスカードを側方から挿入する状態を示す斜視図
【図４】ディスプレイフックの斜視図
【図５】ディスプレイフックの側面図
【図６】ディスプレイフックにプライスカードホルダーを取り付けた上体の一部側面図
【符号の説明】
【００２６】
１  プライスカードホルダー
２  第一の折り曲げ線
３  弾性板
４  正面板
５  第二の折り曲げ線
６  背面板
７  第三の折り曲げ線
８  中板
９  第四の折り曲げ線
１０  スペース板
１１  スリット
１２  スリット
１３  差込片
１４  差込片
１５  プライスカードホルダー用支持棒
１６  横棒部
１７  孔部
１８  ディスプレイフック
１９  係止部
２０  商品陳列用支持棒
２１  接触点
２２  回動中心
２３  正面部
２４  孔部の上端
２５  プライスカード
【図１】
2007117107.tif 000003
【図２】
2007117107.tif 000004
【図３】
2007117107.tif 000005
【図４】
2007117107.tif 000006
【図５】
2007117107.tif 000007
【図６】
2007117107.tif 000008